(57)【要約】      （修正有）【課題】二倍に使用寿命を延長できる線形スライドレールを提供する。【解決手段】ガイドレール４０、スライドブロック５０、凸形ローラーユニット６０及び凹形ローラーユニット７０を包含し、該ガイドレールとスライドブロック５０の両側辺部分にそれぞれ二つのローラー凹溝５３が設けられ、該ローラー凹溝の内壁に、第１接触軌跡面と第２接触軌跡面が画定され、該ガイドレールは前後に２度スライドブロック５０を配置使用でき、スライドブロック５０に凸形ローラーユニット６０或いは凹形ローラーユニット７０を選択して第１次挿入し、ローラーがガイドレール４０のそのうち一つの接触軌跡と接触させられ、ガイドレール４０使用中の接触軌跡面に摩損が発生すると、前回と反対の形式のローラーに交換してスライドブロック５０に第２次挿入し、ローラーを前回と異なる形式のものに交換してスライドブロック５０に挿入し、ローラーにガイドレール４０の摩損していない別の接触軌跡と接触させる。【選択図】図４
0003185831.tif 000002
【実用新案登録請求の範囲】
【請求項１】
二倍に使用寿命を延長できる線形スライドレールにおいて、
ガイドレールであって、その両側辺に、それぞれ作用辺が設けられ、各作用辺に少なくとも一つのローラー凹溝が凹設され、該ローラー凹溝内壁に、第１接触軌跡面と、二つの、該第１接触軌跡面の上下両辺に位置する第２接触軌跡面が画定される、上記ガイドレールと、
スライドブロックであって、該ガイドレール上にスライド自在に設置され、その下部に、該ガイドレールが嵌め込まれる滑り溝が凹設され、該滑り溝の両側内壁それぞれに、該ガイドレールの作用辺に対向する内側作用辺が設けられ、各該内側作用辺の上下に、二つの、該ガイドレールのローラー凹溝に対応するローラー凹溝が設けられ、該ガイドレールの各ローラー凹溝にも第１接触軌跡面と、二つの、該第１接触軌跡面の上下二カ所に位置する第２接触軌跡面が画定され、該スライドブロックの側辺内部の、該ローラー凹溝に対応する近隣位置に、循環孔が凹設される、上記スライドブロックと、
凸形ローラーユニットであって、該ローラー凹溝及び循環孔内に置かれて循環を形成する複数の凸形ローラーを包含し、該凸形ローラーの外周に、一つの中間接触部分と、二つの、該中間接触部分の両側に位置する非接触部分が画定され、該中間接触部分の直径は非接触部分の直径より大きく、該中間接触部分は上述のローラー凹溝の第１接触軌跡面と接触し、該非接触部分は上述のローラー凹溝の第２接触軌跡面との間に微小な間隙を形成する、上記凸形ローラーユニットと、
凹形ローラーユニットであって、該ローラー凹溝及び循環孔内に置かれて循環を形成する複数の凹形ローラーを包含し、該凹形ローラーの外周に、一つの中間非接触部分と、二つの、該中間非接触部分の両側に位置する接触部分が画定され、該中間非接触部分の直径は接触部分の直径より小さく、該中間非接触部分は上述のローラー凹溝の第１接触軌跡面と接触せずに微小間隙を形成し、該接触部分は上述のローラー凹溝の第２接触軌跡面と接触する、上記凹形ローラーユニットと、
を包含し、上述のガイドレールとスライドブロックの組み合わせにより、該ガイドレールに該スライドブロックを第一次配置する時、上述の凸形ローラー或いは凹形ローラーのいずれか一組を選択してスライドブロック内に置き入れ、そのうち一つの接触軌跡面と接触させ、ガイドレール使用中に接触軌跡面に摩損が発生した時に、該ガイドレールにスライドブロックの第二次配置を行ない、第一次配置とは異なる形式のローラーに交換してスライドブロック内に置き入れ、交換後のローラーとガイドレールの未摩損の接触軌跡面を接触させ、こうして２倍に寿命を延長することを特徴とする、二倍に使用寿命を延長できる線形スライドレール。
【請求項２】
請求項１記載の二倍に使用寿命を延長できる線形スライドレールにおいて、該ガイドレールとスライドブロックのローラー凹溝の内壁に、二つの分断溝が凹設され、二つの分断溝は、ちょうど上述の第１接触軌跡面及び第２接触軌跡面の間に位置することを特徴とする、二倍に使用寿命を延長できる線形スライドレール。
【請求項３】
請求項１記載の二倍に使用寿命を延長できる線形スライドレールにおいて、該ガイドレールにスライドブロックが第一次配置される時、上方のローラー凹溝に凸形ローラーが置き入れられ、下方のローラー凹溝に凹形ローラーが置き入れられ、該スライドブロックが第二次配置される時、上方のローラー凹溝の該凸形ローラーが凹形ローラーに交換され、下方のローラー凹溝の該凹形ローラーが凸形ローラーに交換されることを特徴とする、二倍に使用寿命を延長できる線形スライドレール。
【請求項４】
請求項１記載の二倍に使用寿命を延長できる線形スライドレールにおいて、該ガイドレールにスライドブロックが第一次配置される時、上方のローラー凹溝に凹形ローラーが置き入れられ、下方のローラー凹溝に凸形ローラーが置き入れられ、該スライドブロックが第二次配置される時、上方のローラー凹溝の該凹形ローラーが凸形ローラーに交換され、下方のローラー凹溝の該凸形ローラーが凹形ローラーに交換されることを特徴とする、二倍に使用寿命を延長できる線形スライドレール。
【請求項５】
請求項１記載の二倍に使用寿命を延長できる線形スライドレールにおいて、該ガイドレールにスライドブロックが第一次配置される時、上下の二つのローラー凹溝のいずれにも凸形ローラーが置き入れられ、該スライドブロックが第二次配置される時、上下の二つのローラー凹溝の凸形ローラーが、いずれも凹形ローラーに交換されることを特徴とする、二倍に使用寿命を延長できる線形スライドレール。
【請求項６】
請求項１記載の二倍に使用寿命を延長できる線形スライドレールにおいて、該ガイドレールにスライドブロックが第一次配置される時、上下の二つのローラー凹溝のいずれにも凹形ローラーが置き入れられ、該スライドブロックが第二次配置される時、上下の二つのローラー凹溝の凹形ローラーが、いずれも凸形ローラーに交換されることを特徴とする、二倍に使用寿命を延長できる線形スライドレール。
【考案の詳細な説明】
【技術分野】
【０００１】
本考案は一種の線形スライドレールに係り、特に一種の、二倍に使用寿命を延長できる線形スライドレールに関する。
【背景技術】
【０００２】
図１を参照されたい。周知の線形スライドレール２０は、ガイドレール２１、スライドブロック２２、及び多数のビーズ２３を具えている。該スライドブロック２２の下部にガイドレール２１を嵌合する凹溝２２１が凹設され、該ガイドレール２１の上面及び両側辺それぞれに、複数の転がり溝２１１が凹設される。スライドブロック２２の内部の、各一つの転がり溝２１１に対応し隣接する部分に、それぞれ循環孔２２２が凹設されて、複数のビーズ２３が転がり溝２１１内に収容され、さらに、互いに対応する循環孔２２２内に進入し、循環を構成し、こうして、該スライドブロック２２は、ガイドレール２１上で自由に移動できる。このような線形スライドレール２０の長所は、ガイドレール２１の上面にビーズ２３が取り付けられて支持部品とされ、スライドブロック２２上方の圧力を有効に受け止められることであるが、その欠点は、ビーズ２３の点接触を採用したことにより、ビーズ２３と転がり溝２１１の接触面に、力を受けることで摩損が形成され、並びに使用寿命が長くないことである。
【０００３】
図２を参照されたい。図２に示されるもう一種の周知の線形スライドレール３０は、ガイドレール３１、スライドブロック３２及び多数のローラー３３を具えている。スライドブロック３２はスライド自在にガイドレール３１上に設けられて、線形移動を行え、スライドブロック３２の両側辺それぞれに、二つの転がり溝３２１が設けられ、スライドブロック３２内部の、二つの転がり溝３２１に対応する側辺部分に、二つの循環孔３２２が設けられ、ローラー３３が転がり溝３２１に置き入れられた後、さらに対応する循環孔３２２内に進入し、循環を形成し、これにより、スライドブロック３２に順調な移動の効果を達成させる。このような線形スライドレール３０の長所は、ローラー３３が転がり部品として利用され、ローラー３３の積載能力はビーズより強く、有効に機台の大重量を受け止められ、使用寿命も比較的長いことである。ただし、その使用上、不足の部分もあり、すなわち、一般に線形スライドレール３０は長時間使用した後、あるいは機台が衝突あるいはその他の大きな力の衝撃事故に遭遇すると、ローラー３３と転がり溝３２１の接触線Ｐに磨耗が発生し、一旦転がり溝３２１の溝面に摩損の現象が発生すると、全体の機台の精度に厳重な誤差が発生し、使用者はただ全体の線形スライドレール３０を取り外して交換しなければ、精度をリセット、校正できず、相当に時間とコストがかかり、さらに厳重な場合は、全体の機台を廃棄しなければならなくなる。このため、いかに線形スライドレール３０の使用寿命を延長するかは、ずっと業者が解決を望む課題であった。
【考案の概要】
【考案が解決しようとする課題】
【０００４】
これにより、本考案の目的は、一種の、使用寿命を２倍に延長できる効果を有する線形スライドレールを提供することにある。
【課題を解決するための手段】
【０００５】
本考案の二倍に使用寿命を延長できる線形スライドレールは、ガイドレール、スライドブロック、凸形ローラーユニット及び凹形ローラーユニットを包含する。
【０００６】
そのうち、該ガイドレールの両側辺に、それぞれ作用辺が設けられ、各作用辺にローラー凹溝が凹設され、該ローラー凹溝内壁に第１接触軌跡面と、二つの、該第１接触軌跡面の上下両辺に位置する第２接触軌跡面が画定される。
【０００７】
該スライドブロックは、該ガイドレール上にスライド自在に設置され、その下部に、ガイドレールが嵌め込まれる滑り溝が凹設され、該滑り溝の両側内壁それぞれに、該ガイドレールの作用辺に対向する内側作用辺が設けられ、各該内側作用辺の上下に、二つの、該ガイドレールのローラー凹溝に対応するローラー凹溝が設けられ、各ローラー凹溝に同様に第１接触軌跡面と、二つの、該第１接触軌跡面の上下二カ所に位置する第２接触軌跡面が画定され、該スライドブロックの側辺内部の、該ローラー凹溝に対応する近隣位置に、循環孔が凹設される。
【０００８】
該凸形ローラーユニットは複数の、該ローラー凹溝及び循環孔内に置かれて循環を形成する凸形ローラーを包含し、凸形ローラーの外周に、一つの中間接触部分と、二つの、該中間接触部分の両側に位置する非接触部分が画定され、該中間接触部分の直径は非接触部分の直径より大きく、該中間接触部分は上述のローラー凹溝の第１接触軌跡面と接触し、該非接触部分は上述のローラー凹溝の第２接触軌跡面との間に微小な間隙を形成する。
【０００９】
該凹形ローラーユニットは、複数の、該ローラー凹溝及び循環孔内に置かれて循環を形成する凹形ローラーを包含し、凹形ローラーの外周に、一つの中間非接触部分と、二つの、該中間非接触部分の両側に位置する接触部分が画定され、該中間非接触部分の直径は接触部分の直径より小さく、該中間非接触部分は上述のローラー凹溝の第１接触軌跡面と接触せずに微小間隙を形成し、該接触部分は上述のローラー凹溝の第２接触軌跡面と接触する。
【００１０】
上述のガイドレールとスライドブロックの組み合わせにより、該ガイドレールに第一次にスライドブロックを配置する時、使用者は上述の凸形ローラー或いは凹形ローラーのいずれか一組を選択してスライドブロック内に置き入れて、そのうち一つの接触軌跡面と接触させ、ガイドレール使用中に接触軌跡面に摩損が発生した時に、該ガイドレールに第２次のスライドブロック配置を行ない、前回の配置とは異なる形式のローラーをスライドブロック内に置き入れることができ、交換後のローラーとガイドレールの未摩損の接触軌跡面を接触させ、こうして２倍に寿命を延長する使用効果を達成できる。
【考案の効果】
【００１１】
本考案の有益な効果は以下のとおりである。該ガイドレールは前後の２回、スライドブロックを配置使用でき、スライドブロックには第一次に凸形ローラー或いは凹形ローラーを選択して置き入れることができ、ガイドレールが正常に使用されて一定の寿命にいたって、ガイドレールに摩損が発生すると、ガイドレールには第２次にスライドブロックを配置でき、該スライドブロックには前回と異なる形式のローラーを置き入れて、ガイドレールの未摩損の接触軌跡面と接触させられ、該ガイドレールは継続して正常使用でき、これにより、使用寿命を２倍に延長する効果を達成する。
【図面の簡単な説明】
【００１２】
【図１】周知の線形スライドレールの組み合わせ断面図である。
【図２】もう一種の周知の線形スライドレールの組み合わせ断面図である。
【図３】本考案の二倍に使用寿命を延長できる線形スライドレールの好ましい実施例の立体断面図であり、本考案がガイドレール、スライドブロック、凸形ローラーユニット及び凹形ローラーユニットを包含することを説明している。
【図４】上述の本考案の好ましい実施例の組み合わせ断面図であり、該ガイドレールとスライドブロックの間にローラー凹溝が設けられて、凸形ローラーユニット及び凹形ローラーユニットが挿入される状況を示す。
【図５】上述の本考案の好ましい実施例の立体拡大図であり、該ガイドレールのローラー凹溝と凸形ローラーユニットの組み合わせの状況を説明する。
【図６】上述の本考案の好ましい実施例の立体拡大図であり、該ガイドレールのローラー凹溝と凹形ローラーユニットの組み合わせの状況を説明する。
【図７】上述の本考案の好ましい実施例の拡大図であり、該凸形ローラーユニットの凸形ローラーの形状を説明する。
【図８】上述の本考案の好ましい実施例の拡大図であり、該凹形ローラーユニットの凹形ローラーの形状を説明する。
【図９】上述の本考案の好ましい実施例の拡大図であり、凸形ローラーユニット、凹形ローラーユニットの、ローラー凹溝内の接触の状況を説明する。
【図１０】上述の本考案の好ましい実施例の動作表示図であり、ローラー凹溝の壁面が摩損した後に、異なる形式のローラーユニットに交換する状況を説明する。
【図１１】上述の本考案の好ましい実施例の組み合わせ表示図であり、ローラー凹溝内に同時に二組の凸形ローラーユニットを置き入れられる状況を説明する。
【図１２】上述の本考案の好ましい実施例の動作表示図であり、ローラー凹溝内に、二組の凹形ローラーユニットに交換して置き入れる状況を説明する。
【考案を実施するための形態】
【００１３】
以下に本考案の技術内容、構造特徴、達成する目的及び作用効果について、以下に例を挙げ並びに図面を組み合わせて詳細に説明する。
【００１４】
図３、図４を参照されたい。本考案は、二倍に使用寿命を延長できる線形スライドレールであり、それは、ガイドレール４０、スライドブロック５０、凸形ローラーユニット６０及び凹形ローラーユニット７０を包含する。続いて、上述の各構成要件の形状、構造及び組み合わせ空間形態について詳しく説明する。
【００１５】
該ガイドレール４０の両側辺に、それぞれ作用辺４１が設けられ、各作用辺４１にローラー凹溝４２が凹設され、該ローラー凹溝４２内壁に、凸形ローラーユニット６０或いは凹形ローラーユニット７０が転がって接触する二つの斜面が設けられ、各斜面それぞれに一つの第１接触軌跡面４２１、及び二つの、該第１接触軌跡面４２１に隣り合う第２接触軌跡面４２２が画定され、且つ該第１接触軌跡面４２１と第２接触軌跡面４２２の間に、二つの分断溝４２３が凹設され、二つの該分断溝４２３の作用は、そのうち一つの接触軌跡面４２１（４２２）が凸形ローラーユニット６０或いは凹形ローラーユニット７０の転がりにより毛羽を発生する時、分断溝４２３の設置により毛羽のもう一つの接触軌跡面４２２（４２１）への影響を遮断する。
【００１６】
同時に、図９を参照されたい。該スライドブロック５０はスライド自在にガイドレール４０上に設置され、その下部にガイドレール４０が嵌め込まれる滑り溝５１が凹設され、該滑り溝５１の両側内壁それぞれに、該ガイドレール４０の作用辺４１に対向する内側作用辺５２が設けられ、各該内側作用辺５２に、二つのローラー凹溝５３が凹設され、各ローラー凹溝５３はガイドレール４０の斜面の形状設計と同じであり、ローラー凹溝５３の内壁面にも第１接触軌跡面５３１、二つの第２接触軌跡面５３２が画定され、且つ２本の分断溝５３３が設けられ、ガイドレール４０とスライドブロック５０のローラー凹溝４２、５３は相互に対向し、該スライドブロック５０側辺内部の各ローラー凹溝５３の斜め対角位置に、循環孔５４がそれぞれ凹設される。
【００１７】
同時に図４、図５及び図７を参照されたい。凸形ローラーユニット６０はローラー凹溝４２、５３及び循環孔５４内に置き入れられた多数の凸形ローラー６１を包含し、凸形ローラー６１の外周に、一つの中間接触部分６１１と、中間接触部分６１１の両側に位置する二つの非接触部分６１２が画定され、中間接触部分６１１の直径は、非接触部分６１２の直径より大きい。本実施例中、中間接触部分６１１とローラー凹溝４２、５３の第１接触軌跡面４２１、５３１が接触し、非接触部分６１２は円錐柱面形状を呈し、ローラー凹溝４２、５３の第２接触軌跡面４２２、５３２との間に微小間隙（ＩＩ）（図９参照）を形成し、これにより、第２接触軌跡面４２２、５３２に未接触状態を保持させる。
【００１８】
同時に図４、図６及び図８を参照されたい。凹形ローラーユニット７０はローラー凹溝４２、５３及び循環孔５４内に置き入れられて循環を形成する多数の凹形ローラー７１を包含する。凹形ローラー７１の外周には、一つの中間非接触部分７１１、中間非接触部分７１１の両側に位置する二つの接触部分７１２が画定され、中間非接触部分７１１の直径は、接触部分７１２の直径より小さい。中間非接触部分７１１とローラー凹溝４２、５３の第１接触軌跡面４２１、５３１は微小間隙（ＩＩＩ）を保持し（図９参照）、これにより、第１接触軌跡面４２１、５３１は未接触状態に保持され、二側辺の接触部分７１２は、ローラー凹溝４２、５３の第２接触軌跡面４２２、５３２と接触する。
【００１９】
以上は本考案の、二倍に使用寿命を延長できる線形スライドレールの部品形状の概要である。続いて、さらに本考案の動作及び作用効果について以下に説明する。
【００２０】
図９を参照されたい。ガイドレール４０に第１次にスライドブロック５０を配置する時は、凸形ローラーユニット６０の凸形ローラー６１が上方のローラー凹溝４２、５３内に置き入れられ、凹形ローラーユニット７０の凹形ローラー７１は、下方のローラー凹溝４２、５３内に置き入れられる。このとき、凸形ローラー６１の中間接触部分６１１と上方ローラー凹溝４２、５３の第１接触軌跡面４２１、５３１が接触し、並びに第２接触軌跡面４２２、５３２を未接触状態に保持し、凹形ローラー７１の接触部分７１２は下方のローラー凹溝４２、５３の第２接触軌跡面４２２、５３２と接触し、並びに第１接触軌跡面４２１、５３１を未接触状態に保持し、こうして、該スライドブロック５０は凸形ローラー６１、凹形ローラー７１が転がり循環することにより、正常に順調に、ガイドレール４０に沿って線形移動を行える。
【００２１】
図１０を参照されたい。線形スライドレールをある時間使用した後に、ローラー凹溝４２、５３の、凸形ローラー６１、凹形ローラー７１の接触する壁面には摩損状況が発生し得る。このとき、使用者は、ガイドレール４０に対して第２次のスライドブロック５０配置の動作を行える。すなわち、上方のローラー凹溝４２、５３の全ての凸形ローラー６１を、凹形ローラー７１に交換して凹形ローラー７１を置き入れ、下方のローラー凹溝４２、５３の全ての凹形ローラー７１を凸形ローラー６１に交換して凸形ローラー６１を置き入れ、こうして、交換された凹形ローラー７１は摩損していない第２接触軌跡面４２２、５３２に接触し、交換後の凸形ローラー６１は、摩損していない第１接触軌跡面４２１、５３１と接触し、これにより、スライドブロック５０とガイドレール４０は続いて正常使用でき、これにより、二倍に使用寿命を延長できる効果を達成する。
【００２２】
当然、業者は反対のやり方で実施してもよく、すなわち、ガイドレール４０にスライドブロック５０を第一次配置する時、凹形ローラー７１を上方のローラー凹溝４２、５３内に配置し、凸形ローラー６１を下方のローラー凹溝４２、５３内に配置し、図１０に示されるように、ガイドレール４０に第２次のスライドブロック５０配置を行わねばならなくなった時には、まず凸形ローラー６１及び凹形ローラー７１をすべて新しいものに交換し、交換後の凸形ローラー６１を上方のローラー凹溝４２、５３内に取り付け、交換後の凹形ローラー７１を下方のローラー凹溝４２、５３内に取り付け、図９に示されるようであり、同様に、使用寿命を延長する効果を達成できる。
【００２３】
図１１を参照されたい。本考案はスライドブロック５０を第１次配置する時、ガイドレール４０及びスライドブロック５０の上下二つのローラー凹溝４２、５３に、同時に同じ形式の凸形ローラー６１を選択し取り付けて、スライドブロック５０の第２次配置が必要となった時に、上下二つのローラー凹溝４２、５３内は凹形ローラー７１を同時に採用し、図１２に示されるようであり、当然業者は、以上と反対の交換手段を採用してもよく、同様に二倍に使用寿命を延長できる効果を達成できる。
【００２４】
注意すべきこととして、もし業者が凸形ローラー６１、凹形ローラー７１の交換時に、スライドブロック５０内からの取り出しの作業が面倒であると考えるならば、業者は全体のスライドブロック５０と共に全ての凸形ローラー６１、凹形ローラー７１全体を全て交換することを選択してもよい。
【００２５】
総合すると、本考案の二倍に使用寿命を延長できる線形スライドレールは、周知の線形スライドレールの、使用寿命が比較的短いという欠点を改良する。本考案の主要な技術手段は、二種類の異なる形式規格の凸形ローラー６１及び凹形ローラー７１を使用し、凸形ローラー６１の外周に、直径が異なる中間接触部分６１１及び非接触部分６１２を設け、凹形ローラー７１の外周に、凸形ローラー６１と反対に、中間非接触部分７１１及び接触部分７１２を設け、該ガイドレール４０とスライドブロック５０のローラー凹溝４２、５３壁面に第１接触軌跡面４２１、５３１及び第２接触軌跡面４２２、５３２を画定する。凸形ローラー６１を選択してローラー凹溝４２、５３に置き入れる時、凸形ローラー６１は、第１接触軌跡面４２１、５３１と接触し、並びに第２接触軌跡面４２２、５３２と未接触状態を保持し、凹形ローラー７１を選択してローラー凹溝４２、５３に置き入れる時、凹形ローラー７１は第２接触軌跡面４２２、５３２と接触し、並びに第１接触軌跡面４２１、５３１と未接触状態を保持する。
【００２６】
上述の凸形ローラー６１、凹形ローラー７１の構造特性を利用し、まず、そのうち一組のローラーユニット６０（７０）をそのうち一つの接触軌跡面４２１、５２１（４２２、５３２）と接触させ、こうして該スライドブロック５０を順調にガイドレール４０上で正常に移動させられる。該接触軌跡面４２１、５２１（４２２、５３２）に摩損が発生した後には、ただもう一組のローラーユニット７０（６０）に交換し、もう一つの接触軌跡面４２２、５３２（４２１、５３１）に対して接触させ、もう一組のローラーユニット７０（６０）は、摩損した接触軌跡面を回避でき、全く新しい完全な接触軌跡面上で転がるため、二倍に使用寿命を延長できる効果を達成する。
【００２７】
以上の技術手段により、本考案の線形スライドレールは周知の線形スライドレールと比較して、本考案の線形スライドレールは二倍に使用寿命を延長できる、特にその線形スライドレールは広く航空工業、自動車工業、金属加工業、及びその他の産業機械上に使用され、本考案はこれらの機械の使用年限をさらに延長し、機械工業界できわめて重大な貢献をし、且つ本考案のガイドレール４０は摩損の状態で、ただ異なる形式のローラー６１（７１）に交換すればよく、周知の線形スライドレールのように全体を取り外して交換し、並びに新たに校正する必要がなく、これにより、本考案の交換作業はよりスピーディーで簡単であり且つ便利であり、並びに有効にガイドレールの鋼材のコストを節約できる。
【００２８】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２９】
４０  ガイドレール
４１  作用辺
４２  ローラー凹溝
４２１  第１接触軌跡面
４２２  第２接触軌跡面
４２３  分断溝
５０  スライドブロック
５１  滑り溝
５２  内側作用辺
５３  ローラー凹溝
５３１  第１接触軌跡面
５３２  第２接触軌跡面
５３３  分断溝
５４  循環孔
６０  凸形ローラーユニット
６１  凸形ローラー
６１１  中間接触部分
６１２  非接触部分
７０  凹形ローラーユニット
７１  凹形ローラー
７１１  中間非接触部分
７１２  接触部分
【図１】
0003185831.tif 000003
【図２】
0003185831.tif 000004
【図３】
0003185831.tif 000005
【図４】
0003185831.tif 000006
【図５】
0003185831.tif 000007
【図６】
0003185831.tif 000008
【図７】
0003185831.tif 000009
【図８】
0003185831.tif 000010
【図９】
0003185831.tif 000011
【図１０】
0003185831.tif 000012
【図１１】
0003185831.tif 000013
【図１２】
0003185831.tif 000014